(57)【要約】【課題】強度の低い壁面に手すりを設置する際、手すり固定金具を壁面に設置した後でも手すり固定用のねじ位置を容易に調整することが出来、かつ固定用のねじ位置の異なる様々な手すりを設置することが可能な構造である手すり固定金具を提供する。【解決手段】  本発明では、壁面裏側に配置した補強材と、壁面表側に配置したフランジ及び座金とを、それらの中心位置に配置された固定ボルトで締め付け壁面を挟み込んで壁に固定する手すり固定金具において、補強材は壁裏側で互いに交差するように位置決めされる複数のものであり、フランジは壁面表側に外縁部と凹部とを有し、その凹部に座金が固定ボルトを中心に回転可能に配置されると共に、座金は手すりの固定ねじ穴を具備し、補強材とフランジ及び座金とが固定ボルトで締め付け壁面に固定される時は座金の表面及びフランジの外縁部表面が壁面の表面と略同一面である手すり固定金具とした。【選択図】  図１
2006257649.tif 000002
【特許請求の範囲】
【請求項１】
壁面裏側に配置した補強材と、
壁面表側に配置したフランジ及び座金とを、
それらの中心位置に配置された固定ボルトで締め付け壁面を挟み込んで壁に固定する手すり固定金具において、
前記補強材は壁裏側で互いに交差するように位置決めされる複数のものであり、
前記フランジは壁面表側に外縁部と凹部とを有し、
その凹部に前記座金が前記固定ボルトを中心に回転可能に配置されると共に、
前記座金は手すりの固定ねじ穴を具備し、
前記補強材と前記フランジ及び前記座金とが前記固定ボルトで締め付け壁面に固定される時は前記座金の表面及び前記フランジの外縁部表面が壁面の表面と略同一面であることを特徴とした手すり固定金具。
【請求項２】
前記座金が、複数の種類の異なる手すりに対応した前記固定ねじ穴を具備していることを特徴とする請求項１に記載の手すり固定金具。
【発明の詳細な説明】
【技術分野】
【０００１】
本発明は、強度の小さい壁面に手すりを取付ける場合の、手すり固定金具に関する発明である。 
【背景技術】
【０００２】
石膏ボードやユニットバスなどの薄くて強度の小さい壁面に、手すりを固定する場合、取付強度が要求される。このため、従来、壁面の表裏に配置した補強材で壁面を加圧固定する固定金具で、壁面表側の補強材に突出した雌ねじ部を設け、手すりの接続部に設けた雄ねじ部を接続して取付けるようにした構成のものがある（例えば、特許文献１参照。）。 
【０００３】
この場合、突出した雌ねじ部の形状や寸法が予め決められている為、壁面固定部を手すり固定金具のねじ部に合わせた専用の手すりが必要となり、品揃えが豊富な合板等の木下地の壁面に木ねじで固定する手すりでは、固定金具との接続ねじ形状や寸法が異なるため接続することが出来ないという問題があった。 
【０００４】
また、前述の問題を解決する為に、壁面の表裏に配置した補強材で壁面を加圧固定する固定金具で、壁面裏側の補強材に設けられた手すり取付用のねじ穴に、品揃えが豊富な合板等の木下地の壁面に木ねじで固定する手すりを取付ける構造のものもある（例えば、特許文献２参照。）。
【０００５】
しかしこの場合、壁面裏側の補強材を設置する際に、手すりのねじ穴と位置と壁面裏側の補強材に設けられた取付け用ねじ穴の位置を事前に合わせる必要がある為、壁面裏側の補強材の位置決めが困難であったり、また設置後は補強材が壁に固定されてしまう為、ねじ穴位置の微調整を行うことが出来きず、手すりのねじ穴と位置が合わない等、施工が困難であるという問題があった。
【特許文献１】特開平９−７２３１８号公報（第１０頁、第１図）
【特許文献２】特開平９−７２３１８号公報（第１１頁、第４図）
【発明の開示】
【発明が解決しようとする課題】
【０００６】
本発明は、上記問題を解決するためになされたもので、本発明の課題は、比較的強度の低い壁面に手すり固定金具を使用して手すりを設置する際、手すり固定金具を壁面に設置した後でも手すり固定用のねじ位置を容易に調整することが出来、かつ固定用のねじ位置の異なる様々な手すりを設置することが可能な構造である手すり固定金具を提供することである。
【課題を解決するための手段】
【０００７】
上記目的を達成するために請求項１記載の発明によれば、壁面裏側に配置した補強材と、壁面表側に配置したフランジ及び座金とを、それらの中心位置に配置された固定ボルトで締め付け壁面を挟み込んで壁に固定する手すり固定金具において、前記補強材は壁裏側で互いに交差するように位置決めされる複数のものであり、前記フランジは壁面表側に外縁部と凹部とを有し、その凹部に前記座金が前記固定ボルトを中心に回転可能に配置されると共に、前記座金は手すりの固定ねじ穴を具備し、前記補強材と前記フランジ及び前記座金とが前記固定ボルトで締め付け壁面に固定される時は前記座金の表面及び前記フランジの外縁部表面が壁面の表面と略同一面であることを特徴とした手すり固定金具とした。
【０００８】
これにより、フランジは壁面表側に固定されているが、手すりを取付ける座金は回転可能である為、手すり固定金具を壁面に設置した後でも、容易に手すりのねじ穴に合わせて座金のねじ穴位置を合わせることが可能となり、容易な施工が可能となる。
さらに、フランジの凹部に座金が配置されると共に、フランジの外縁部が壁面の表面と略同一面であることより、壁からの突起を少ない状態で手すりを取り付けることができる。
【０００９】
また、請求項２記載の発明のよれば、前記座金が、複数の種類の異なる手すりに対応した前記固定ねじ穴を具備していることを特徴とする請求項１に記載の手すり固定金具とした。
【００１０】
これにより、同一の手すり固定金具で、取付けねじの位置が異なる別の手すりも設置することが可能となり、手すり固定金具の種類を１種類に統一することが可能となる。
【発明の効果】
【００１１】
本発明によれば、比較的強度の低い壁面に手すり固定金具を使用して手すりを設置する際、手すり固定金具を壁面に設置した後でも手すり固定用のねじ位置を容易に調整することが出来、かつ固定用のねじ位置の異なる様々な手すりを設置することが可能な構造である手すり固定金具を提供できる。
【発明を実施するための最良の形態】
【００１２】
本発明の実施形態は、以下に記す構成からなる。
図１は、本発明の第一の実施形態を示す手すり固定金具の分解斜視図である。
図１において、１００は壁面を示し、壁面１００の壁表面１００Ｂの側からは、壁裏面１００Ａに貫通するように穴１００Ｃが開けられている。
補強材１、補強材２とフランジ３は予め紐７で連結されており、補強材１及び補強材２を穴１００Ｃから壁裏面１００Ａ側に挿入し、紐７を引っ張ることで補強材１及び補強材２は互いに交差する形で壁裏側１００Ａに接触して設置される。
【００１３】
フランジ３は、深さ３Ｄを有した凹形状となっている。フランジ３は穴１００Ｃに嵌め込まれ、壁表面１００Ｂとフランジ３の外縁部である鍔３Ａが接触して固定される。この鍔３Ａの外径３Ｂは穴１００Ｃの直径１００Ｄよりも大きく作られており、フランジ３が壁裏面１００Ａ側へ落ち込まないような仕組みになっている。また、鍔３Ａと壁表面１００Ｂの間に図示しないパッキンやシーリング剤を塗布することで、穴１００Ｃからの水滲入を防止する役割を担っている。また、鍔３Ａの厚さ３Ｃは０．５ｍｍ以下となっており、フランジ３を壁面１００に設置した状態で鍔３Ａの表面が壁表側１００Ｂと略同一面となるように作られている。
【００１４】
４は座金を示し、手すり２００をボルト６で固定する為のねじ穴４Ａがねじ穴ピッチ直径４Ｐであいている。また、座金４の中心には固定ボルト５を通す為の穴４Ｂが開けられており、固定ボルト５の頭頂面５Ａが座金表面４Ｃよりも飛び出ないように、座金４にはザグリ４Ｄが設けられている。座金４の厚さ４Ｅは、フランジ３の深さ３Ｄよりも小さく作られており、座金表面４Ｃがフランジ３の鍔３Ａの表面と同一面か、鍔３Ａの表面よりも飛び出ないようになっている。８はゴムや発砲素材で作られたパッキンを示し、フランジ３と座金４の間に配置され、穴３Ｅからの水滲入を防止している。固定ボルト５を、穴４Ｂ、穴８Ａ、穴３Ｅ、穴１Ａの順に通し、補強材２に開けられているねじ穴２Ａにねじ込むことで、フランジ３を介し座金４と補強材１及び補強材２は壁１００を挟み加圧固定される。
【００１５】
ここで座金４は、フランジ３、補強材１及び補強材２とは固定ボルト５を介して連結されているだけである為、壁面１００に固定した後でも、座金４は固定ボルト５の軸芯５Ｃを中心に回転させることが可能である。
【００１６】
次に、この手すり固定金具への手すりの固定方法について説明する。
図２は本発明の第一の実施形態を示す手すり固定金具を使用し壁面に手すりを設置した場合の断面である。
図２において、手すり２００の握りバー２０１は、支柱２０２を介して取付座２０３と接続されている。取付座２０３には図示しないアンカーボルトや木ねじなどで、図示しないコンクリート壁面や合板壁面などに固定する為の取付穴２０３Ａがねじ穴ピッチ直径２０３Ｐで開けられている。
ここで、前述したように座金４のねじ穴４Ａは、座金４のねじ穴ピッチ直径４Ｐと取付座２０３のねじ穴ピッチ直径２０３Ｐは同一寸法となっている。ねじ穴４Ａと同一ねじサイズのボルト６を、取付穴２０３Ａからねじ穴４Ａにねじ込むことで、取付座２０３は座金４、フランジ３、固定ボルト５を介し補強材１、補強材２と接続される。
【００１７】
取付座２０３の外径２０３Ｂは、フランジ３の外縁部である鍔３Ａの外径３Ｂと同等若しくはそれ以上の大きさであり、しかも鍔３Ａ表面よりも座金表面４Ｃが飛び出していない為、取付座２０３はフランジ３の鍔３Ａを介し、補強材１、補強材２と壁面１００を挟み込んで加圧固定されることとなる。結果的には、握りバー２０１に負荷される荷重は、取付座２０３と補強材１及び補強材２で受け止めるこことなる為、鍔３Ａは荷重を受けることが無く、０．５ｍｍ以下と薄く作ることが可能となる。
【００１８】
また、フランジ３の凹部に座金４が配置され、フランジ３の外縁部である鍔３Ａ表面が壁面の表面と略同一面であるため、壁からの突起を少ない状態で取付け座２０３を取り付けることができる。
さらに、手すり２００を手すり固定金具に設置後は、カバー２０４を取付座２０３に嵌め込むことで、鍔３Ａと取付座２０３は完全に隠蔽され、手すり固定金具は表に出ず、手すりの意匠を損なうことは無い。
【００１９】
手すりのねじ穴ピッチ直径は、手すりの種類やメーカによって通常異なるため、本発明の第一の実施形態ではそれぞれの手すりのねじ穴ピッチ直径に合わせた手すり固定金具が必要となる。
【００２０】
そこで、本発明の第二の実施形態は、この点を解決する為に発明されたもので、図３に示すように、座金４０の座金表面４０Ｃに、手すり２００用のねじ穴ピッチ直径４Ｐのねじ穴４Ａだけでなく、手すり３００用のねじ穴ピッチ直径３００Ｐと同一寸法のねじ穴ピッチ直径４０Ｐのねじ穴４０Ａも合わせて開けられている。これにより、１種類の手すり固定金具を準備しておけば、複数の種類の異なる手すりを設置することが可能となる。
【００２１】
また、図３では２種類のピッチ直径のねじ穴を開けた場合を示したが、座金表面４０Ｃの許す範囲であれば２種類以上のねじ穴ピッチ直径のねじ穴を明けることも可能であり、またねじ穴４Ａの大きさも変えることは可能である。
【図面の簡単な説明】
【００２２】
【図１】本発明の第一の実施形態を示す手すり固定金具の分解斜視図である。
【図２】本発明の第一の実施形態を示す手すり固定金具を使用し壁面に手すりを設置した場合の断面である。
【図３】本発明の第二の実施形態を示す手すり固定金具の分解斜視図である。
【符号の説明】
【００２３】
１００…壁面
１００Ｂ…壁表面
１００Ａ…壁裏面
１００Ｃ…穴
１００Ｄ…直径
２００…手すり
２０１…握りバー
２０２…支柱
２０３…取付座
２０３Ａ…取付穴
２０３Ｂ…直径
２０３Ｐ…ねじ穴ピッチ直径
２０４…カバー
３００…手すり
３００Ｐ…ねじ穴ピッチ直径
１…補強材
１Ａ…穴
２…補強材
２Ａ…ねじ穴
３…フランジ
３Ａ…鍔
３Ｂ…径
３Ｄ…深さ
３Ｅ…穴
４…座金
４Ａ…ねじ穴
４Ｂ…穴
４Ｃ…座金表面
４Ｄ…ザグリ
４Ｅ…厚さ
４Ｐ…ねじ穴ピッチ直径
５…固定ボルト
５Ａ…頭頂面
５Ｃ…軸芯
６…ボルト
７…紐
８…パッキン
８Ａ…穴
４０…座金
４０Ｃ…座金表面
４０Ｐ…ねじ穴ピッチ直径
４０Ａ…ねじ穴
【図１】
2006257649.tif 000003
【図２】
2006257649.tif 000004
【図３】
2006257649.tif 000005